(57)【要約】【課題】送り込まれてくるレセプトを集積部の奥側まで確実に送り込んで集積できるようにする。【解決手段】搬送方向に沿う一側部を除くエリアの搬送方向後端部に続紙６ｃを連ねて送り込まれてくるレセプト６ａを集積する集積箱６１と、この集積箱６に送り込まれたレセプト６ａの続紙６ｃが存在しない搬送方向に沿う一側部Ｓを挟持して搬送する搬送ローラ対７３，７４とを具備する。【選択図】    図３
2004269114.tif 000002
【特許請求の範囲】
【請求項１】
搬送方向に沿う一側部を除くエリアの搬送方向後端部に続紙を連ねて送り込まれてくる紙葉類を集積する集積部と、
この集積部に送り込まれた前記紙葉類の続紙が存在しない搬送方向に沿う一側部を挟持して搬送する搬送手段と
を具備することを特徴とする紙葉類集積装置。
【請求項２】
前記搬送手段は前記紙葉類の搬送方向に亘って配設される複数の搬送ローラ対であることを特徴とする請求項１記載の紙葉類集積装置。
【請求項３】
前記集積部に送り込まれる紙葉類の搬送方向に沿う一側部を除くエリアの上面側に接触して搬送する搬送ベルトを備えたことを特徴とする請求項１記載の紙葉類集積装置。
【請求項４】
前記搬送手段から送り出される紙葉類を叩き落とす第１の叩落部材及びこの紙葉類の続紙を叩き落とす第２の叩落部材を備えることを特徴とする請求項１記載の紙葉類集積装置。
【請求項５】
前記集積部の内底部に紙葉類の搬送方向に沿って上昇するように傾斜する第１の傾斜面と、この第１の傾斜面に連続して前記紙葉類の搬送方向に沿って下降するように傾斜する第２の傾斜面を有し、この第２の傾斜面上に前記紙葉類、前記第１の傾斜面上に前記続紙をそれぞれ集積させることを特徴とする請求項１記載の紙葉類集積装置。
【発明の詳細な説明】
【０００１】
【発明の属する技術分野】
本発明は、例えば、光学的文字読取装置、或いは光学的イメージ読取装置等に用いられる紙葉類集積装置に関する。
【０００２】
【従来の技術】
光学的文字読取装置等では、紙葉類を積載するホッパを備え、このホッパから紙葉類を一枚づつ取り出して装置本体内の読取部に搬送する。そして、この読取部で紙葉類の記載情報を読み取ったのち、この紙葉類を搬送機構により集積部に搬送して集積するようになっている（例えば、特許文献１参照。）。
【０００３】
ところで、この光学的文字読取装置等では、紙葉類として医療用のレセプトの記載情報を読み取ることがあるが、レセプトに記載事項が一杯になると、追加レセプトが順に貼り付けられて使用されるようになっている。この追加レセプトの貼付枚数はものによって各々異なるが、投薬期間が長いほど増えていく。
【０００４】
【特許文献１】
特開２０００−２４７５２７号公報
【０００５】
【発明が解決しようとする課題】
しかしながら、従来においては、搬送機構の放出力によりレセプトを集積部内に飛ばし込んで集積していたため、集積部の奥まで送り込まれないで、途中で落下してしまうことがあり、良好に集積できなくなるという問題があった。
【０００６】
本発明は上記事情に着目してなされたもので、その目的とするところは、送り込まれてくる紙葉類を集積部の奥側まで確実に送り込んで集積できるようにした紙葉類集積装置を提供する。
【０００７】
【課題を解決するための手段】
上記課題を解決するため、本発明は、搬送方向に沿う一側部を除くエリアの搬送方向後端部に続紙を連ねて送り込まれてくる紙葉類を集積する集積部と、この集積部に送り込まれた前記紙葉類の続紙が存在しない搬送方向に沿う一側部を挟持して搬送する搬送手段とを具備する。
【０００８】
【発明の実施の形態】
以下、本発明を図面に示す実施の形態を参照して詳細に説明する。
図１は本発明の一実施の形態である紙葉類処理装置の内部構成を示すもので、この紙葉類処理装置は光学式の読取装置１とソータ装置２とによって構成されている。図２は光学式の読取装置１を示す外観斜視図である。
【０００９】
読取装置１は装置本体３を有し、この装置本体３の一側上部側には載置部としてのホッパテーブル４が設けられている。ホッパテーブル４上には、紙葉類としての医療用の各種サイズのレセプト６が多数枚立位状態で載置されている。このレセプト６はその上端側が後方へ傾くように傾斜された状態で載置されている。
【００１０】
ホッパテーブル４上には、レセプト６を支持するガイド体５がレセプト６の送出方向に沿ってスライド自在に設けられている。ホッパテーブル４のレセプト６の送出側には、レセプト６を装置本体３内に送込むための第１のフィーダ部７が設けられている。第１のフィーダ部７はピックアップローラ８と送出ローラ９と分離ローラ１０とによって構成されている。また、ホッパテーブル４にはレセプト６の有無を判別する第１の判別手段としての検知スイッチ６１Ａが設けられている。上記したホッパテーブル４と第１のフィーダ部７とにより第１の給紙手段としての第１の給紙部１１が構成されている。
【００１１】
装置本体３内の上部側には、第１のフィーダ部７から送り出されるレセプト６を搬送するメイン搬送路１２が設けられている。メイン搬送路１２にはレセプト６の搬送方向に亘って多数個の搬送ローラ対１３及び検知センサ１４等が配設されている。
【００１２】
また、装置本体３の上面部には後述する長尺レセプト（長尺紙葉類）を手差しさせるための第２の給紙手段としての手差し給紙部１７が設けられている。手差し給紙部１７は手差しされる長尺レセプトを載置する傾斜ホッパ２１と載置された長尺レセプトをメイン搬送路１２に向かって案内する案内路１８とを有している。傾斜ホッパ２１には手差しされる長尺レセプトの有無を判別する第２の判別手段としての検知スイッチ２０が設けられている。案内路１８中には第２のフィーダ部としての給紙ローラ対１９が設けられている。
【００１３】
案内路１８とメイン搬送路１２の合流部のレセプト搬送方向下流側には、レセプトに記録されている情報を光学的に読み取る読取部２２が設けられている。読取部２２は、レセプトに光を照射する一対の照明ランプ２３，２４と、レセプトから反射される光を所定方向に導く第１及び第２の反射ミラー２６，２７と、反射されくる光を受光して情報を読み取る受光センサ２８とによって構成されている。読取部２２のレセプト搬送方向下流側には、レセプトにナンバーを記録するナンバリング２９が設けられている。
【００１４】
メイン搬送路１２のレセプト搬送方向の終端側は装置本体３の内側面に沿って下方に略９０度折曲されてソータ装置２の搬送路３１に接続されている。
メイン搬送路１２の略９０度下方に折曲された部分には、第１及び第２の分岐搬送路３３，３４が接続され、その接続部近傍にはレセプトを第１及び第２の分岐搬送路３３，３４に選択的に案内する第１及び第２の分岐ゲート３６，３７が設けられている。
【００１５】
第１の分岐搬送路３３はメイン搬送路１２に沿って水平に設けられ、この第１の分岐搬送路３３中にはレセプトの搬送方向に亘って搬送ローラ対４０及び検知センサ４１が複数配設されている。第１の分岐搬送路３３の下方部には例えばＡ３サイズのレセプトを集積するための集積装置４３が設けられている。この集積装置４３は第１の分岐搬送路３３に沿って所定間隔を存して配設される複数個の集積部４３ａ〜４３ｃによって構成されている。
【００１６】
第１の分岐搬送路３３と複数個の集積部４３ａ〜４３ｃとは案内路４４ａ〜４４ｃを介して接続されている。案内路４４ａ〜４４ｃには搬送ローラ対４６が設けられている。第１の分岐搬送路３３と案内路４４ａ，４４ｂとの接続部近傍には分岐ゲート４５ａ，４５ｂが設けられ、この分岐ゲート４５ａ，４５ｂの回動によりレセプトが選択的に複数の集積部４３ａ〜４３ｃに案内されて集積されるようになっている。
【００１７】
第２の分岐搬送路３４は斜め下方に向かって延びたのち、長尺用の集積装置５１に接続されている。第２の分岐搬送路３４中にはレセプトの搬送方向に亘って複数の搬送ローラ対４７及び検知センサ４８が配設されている。長尺用の集積装置５１は上記した集積部４３ａ〜４３ｃの下部側に沿って水平に設けられている。
【００１８】
一方、上記したソータ装置２は光学的読取装置１の他側面側に隣接して設けられている。ソータ装置２は上下方向に亘って配設される複数段のトレイ５３…を備え、これらトレイ５３…に例えばＡ４サイズのレセプトが区分収納される。ソータ装置２は上記したように光学的読取装置１のメイン搬送路１２の終端部に接続される搬送路３１を有し、この搬送路３１は水平搬送路３１ａと垂直搬送路３１ｂとによって構成されている。水平搬送路３１ａと垂直搬送路３１ｂにはレセプトの搬送方向に所定間隔を存して搬送ローラ対５５が複数配設されている。垂直搬送路３１ｂと複数段のトレイ５３…とは複数の分岐案内路５７…を介して接続されている。
【００１９】
次に、レセプトの処理動作について説明する。
まず、ホッパテーブル４上に多数枚のレセプト６を立位状態に載置し、第１のフィーダ部７を動作させる。これにより、ピックアップローラ８、送出ローラ９及び分離ローラ１０が回転され、レセプト６が一枚づつ分離してメイン搬送路１２へ送り出される。このレセプト６は搬送ローラ対１３…の回転によりメイン搬送路１２に沿って挟持搬送される。そして、この搬送途中においてレセプト６のサイズが検知センサ１４により検出され、この検知後、読取部２２で情報が光学的に読み取られる。この読取後、レセプト６はさらに搬送されてナンバリング２９に送られ、ここで、ナンバーが記録される。
【００２０】
ナンバーが記録されたレセプト６のサイズが例えば、Ａ４サイズものである場合には、メイン搬送路１２に沿って搬送されたのち、ソータ装置２の搬送路３１へと送込まれる。この搬送路３１に送込まれたレセプト６は水平搬送路３１ａに沿って搬送されたのち、垂直搬送路３１ｂに沿って上方へ搬送され、複数の分岐案内路５７…を介して複数段のトレイ５３…上に区分集積される。
【００２１】
また、レセプト６のサイズが例えば、Ａ３サイズである場合には、ソータ装置２に送込まれることなく、第１の分岐ゲート３６の動作により第１の分岐搬送路３３に送込まれ、集積装置４３の各集積部４３ａ〜４３ｃに集積される。
さらに、レセプト６が手差し給紙部１７から手差しされた長尺（例えば、１ｍの長さ）のものである場合には、第２の分岐ゲート３７の動作により第２の分岐搬送路３４に送られ、長尺用の集積装置５１に集積される。
【００２２】
ところで、上記した集積装置４３は図３及び図４に示すように構成されている。図３は集積装置４３を示す平面図で、図４はその側断面図である。
【００２３】
この集積装置４３には、図７に示すようなレセプト６ａが集積されるようになっている。レセプト６ａは、本票（紙葉類）６ｂとこの本票６ｂに順次貼り付けられる続紙（追加レセプト）６ｃとからなる。続紙６ｃは本票６ｂの搬送方向に沿う一側部を除くエリアの搬送方向後端部に糊付けされている。
【００２４】
このレセプト６ａは本票６ｂに記載事項が一杯になると、続紙６ｃを順に貼り付けていく。ただし、続紙６ｃの貼付パターンは数通りあり、本発明に関連するものは続紙６ｃを次々に貼り付けていくタイプのもので、図の破線部分は糊付部６ｄである。このタイプのレセプト６ａは、通常、図８に示すように続紙６ｃが折り畳まれ、続紙６ｃの貼付枚数はものによって各々異なるが、投薬期間が長いほど増えていく。
【００２５】
集積装置４３は複数の集積部４３ａ〜４３ｃによって構成されるが、複数の集積部４３ａ〜４３ｃは同様に構成されるため、集積部４３ａを代表して説明する。
【００２６】
集積部４３ａは上面及び前面が開口する集積箱６１を有し、案内路４４ａに沿って搬送されてくるレセプト６ａを上面開口部から集積箱６１に導入させる。集積箱６１のレセプト導入側にはレセプトの搬送方向と直交する方向に所定間隔を存して複数のコルゲーションローラ６２が配設され、これらコルゲーションローラ６２の上面部にはピンチローラ６３がそれぞれ当接されている。
【００２７】
レセプト６ａは集積部４３ａへの導入時に図５に示すようにコルゲーションローラ６２…とピンチローラ６３…とによって挟持され、この挟持によりその幅方向に波打つ状態になって腰が形成されるようになっている。
【００２８】
集積箱６１の上面部には搬送機構６５が設けられている。この搬送機構６５は、レセプト６ａの搬送方向（幅走査方向）ａに沿って平行に配設される複数本の搬送ベルト６６と、搬送手段としての第１及び第２の搬送ローラ対７３，７４を有している。
【００２９】
搬送ベルト６６は駆動ローラ６８と従動ローラ６９との間に掛け渡されている。駆動ローラ６８と従動ローラ６９はそれぞれシャフト７０，７１を介して集積箱６１の側板６１ｓ，６１ｓに支持されている。
【００３０】
また、搬送ローラ対７３，７４は図６にも示すように搬送ローラ７３ａ，７４ａとこの搬送ローラ７３ａ，７４ａの下部側に圧接するピンチローラ７３ｂ，７４ｂとにより構成されている。搬送ローラ７３ａ，７４ａはシャフト７５を介して集積箱６１の側板６１ｓ，６１ｓに支持されている。
【００３１】
第１及び第２の搬送ローラ対７３，７４はレセプト６ａの本票６ｂの搬送方向に沿う一側部、即ち続紙６ｃが貼り付けられていないエリアの一側部Ｓを挟持する位置に配設されている。第２の搬送ローラ対７４と集積箱６１の奥側の内壁面までの距離はレセプトの本票６ｂの搬送方向に沿う方向の寸法よりも大とされ、第２の搬送ローラ対７４から搬出される本票６ｂを確実に落下させて集積することができるようになっている。
【００３２】
また、コルゲーションローラ６２…の近傍には、レセプト６ａの続紙６ｃを叩いて落下させる第２の叩き部材としての板バネ７７…が設けられている。
【００３３】
搬送ベルト６６…の搬出側には、第１の叩き部材としての叩きレバー７８が配設されている。これら叩きレバー７８はシャフト８０を介して集積箱６１の側板６１ｓ，６１ｓに支持されている。シャフト８０の一端部には図示しないソレノイドが接続され、このソレノイドの動作によりシャフト８０を介して叩きレバー７８が回動されてその回動端により、搬送機構６５から搬出されるレセプト６ａの本票６ｂの上面部が叩かれるようになっている。
【００３４】
また、集積箱６１の内底部はレセプトの搬送方向に向かって上昇するように傾斜する第１の傾斜面６１ａと、この第１の傾斜面６１ａに連続しレセプトの搬送方向に向かって下降するように傾斜する第２の傾斜面６１ｂが形成されている。
【００３５】
次に、レセプト６ａの集積動作について説明する。
【００３６】
案内路４４ａに沿って案内されてくるレセプト６ａは搬送ローラ対４６によって挟持されて搬送され、集積箱６１へ送り込まれる。このレセプト６ａは集積箱６１の入口でコルゲーションローラ６２とピンチローラ６３とにより挟持されて折れ癖が伸ばされるとともに、主走査方向ｂに波型の癖をつけられ、副走査方向に座屈しにくいコシのある状態になる。このレセプト６ａの進入時には、板ばね７７がレセプト６ａの本票６ｂによって上に持ち上げられる。そして、集積箱６１内に送り込まれるレセプト６ａの本票６ｂの続紙６ｃの貼りついていない一側部Ｓが搬送ローラ対７３，７４によって挟持されるとともに、搬送ローラ対７３，７４によって挟持されない残りの部分の上面側が搬送ベルト６６…に押し付けられる。このレセプト６ａは搬送ローラ対７３，７４の回転及び搬送ベルト６６…の走行により集積箱６１の奥側に向かって搬送される。この搬送により、レセプト６ａの本票６ｂ部分が搬送ローラ対７４から搬出されると、叩きレバー７８が動作されて本票６ｂ部分が叩き落とされる。
【００３７】
また、このとき、続紙６ｃ部分の後端が搬送ピンチローラ６３とコルゲーションローラ６２との間から離脱すると、板ばね７７の戻り力により、続紙６ｃの後端が叩き落される。
【００３８】
落下されるレセプト６ａはその本票６ｂ部分が第２の傾斜面６１ｂ上に集積され、続紙６ｃ部分が第１の傾斜面６１ａ上に集積される。第２の傾斜面６１ｂ上に集積された本票６ｂ部分はその自重により、第２の傾斜面６１ｂに沿って滑り降りてその先端面を集積箱６１の後端面に当接させて整位され、第１の傾斜面６１ａ上に集積された続紙６ｃは第１の傾斜面６１ａに沿って集積され、高さ方向への膨れ上がりが規制されることになる。
【００３９】
上記したように、この実施の形態によれば、集積箱６１内に送り込まれるレセプト６ａの搬送方向の一側部Ｓ、即ち、続紙６ｃが貼り付けられない部分を搬送ローラ対７３，７４によって挟持して搬送するため、レセプト６ａを確実に集積箱６１の奥側まで搬送することができ、良好な集積が可能となる。
【００４０】
また、集積箱６１内に送り込まれるレセプト６ａの上面側を搬送ベルト６６に接触させて搬送するため、レセプト６ａがガイド部材などに接触して失速するといったことがなく、集積不良となることを防ぐことができる。
【００４１】
さらに、集積箱６１内に送り込まれたレセプト６ａの本票６ｂ部分は叩落レバー７９で叩き落し、続紙６ｃは板ばね７７の復帰力で叩き落すため、後続のレセプト６ａとの干渉を防ぐことができる。
【００４２】
また、集積箱６１の内底部には第１及び第２の傾斜面６１ａ，６１ｂを形成すしてレセプト６ａの本票６ｂを第２の傾斜面６１ｂ、続紙６ｃを第１の傾斜面６１ａにそれぞれ沿わせて集積するため、本票６ｂの先端を揃えるとともに、続紙６ｃの高さ方向への膨れ上がりを規制することができる。
【００４３】
その他、本発明はその要旨の範囲内で種々変形実施可能なことは勿論である。
【００４４】
【発明の効果】
本発明は以上説明したように、集積部に送り込まれる紙葉類の続紙が存在しない搬送方向に沿う一側部を搬送手段により挟持して搬送するため、紙葉類を集積部の奥側に確実に送り込んで、良好に集積できるという効果を奏する。
【図面の簡単な説明】
【図１】本発明の一実施の形態である紙葉類処理装置を示す全体構成図。
【図２】同実施形態の光学的文字読取装置を示す外観斜視図。
【図３】同実施形態の集積装置を示す平面図。
【図４】同実施形態の集積装置を示す側断面図。
【図５】同実施形態の集積装置の入口部に設けられるコルゲートローラを示す図。
【図６】同実施形態の集積装置に設けられる搬送ベルト及び搬送ローラ対を示す図。
【図７】同実施形態の集積装置に集積されるレセプトを示す平面図。
【図８】図７のレセプトの続紙を折り畳んだ状態を示す平面図。
【符号の説明】
６ａ…レセプト（紙葉類）、６ｂ…本票、６ｃ…続紙、Ｓ…一側部、６１…集積箱（集積部）、６１ａ…第１の傾斜面、６１ｂ…第２の傾斜面、６６…搬送ベルト、７３，７４…搬送ローラ対（搬送手段）、７７…板ばね（第２の叩落部材）、７８…叩き落しレバー（第１の叩落部材）。
【図１】
2004269114.tif 000003
【図２】
2004269114.tif 000004
【図３】
2004269114.tif 000005
【図４】
2004269114.tif 000006
【図５】
2004269114.tif 000007
【図６】
2004269114.tif 000008
【図７】
2004269114.tif 000009
【図８】
2004269114.tif 000010